(57)【要約】      （修正有）【課題】からだのこりや疲労を抑え防止、解消することができからだの周囲全体を施術する機能性の高い指圧健康器具装置を提供する。【解決手段】ツボで知られる経穴の在る位置に多数の球体を固着成形したシート体をカウル板に内設した装置。疲労した使用者の体表に突起状の球体で押圧をすることにより脂肪の含む皮膚の新陳代謝が増加し血液循環が促進でき健康に良い。【選択図】図４
2005058695.tif 000002
【特許請求の範囲】
【請求項１】
振動発生器を埋設した振動カウルの内面に、皮膚に当接する押圧球体を、使用者の体形をカウルの曲面に重合させ密着するよう設けた、シート状の半球体による押圧球体を取り付けた連立ユニット指圧マッサージ衣服。
【請求項２】
身体の各部肩部（ａ）背面部（ｂ）腰部（ｃ）膝部（ｄ）両腕（ｅ）足部（ｆ）の各部の自動制御装置による個別作動とオートモードの選択機能を内蔵機構として各ユニット全体を一つの指圧装置として又ユニット各部の本体は、各々独立した機能と機構を有し多数の振動発生器を取り付けた、請求項１記載の連立ユニット指圧マッサージ衣服。
【請求項３】
漢方医学に基ずく、経絡のツボの指圧位置ポイントの所要個数を半球体状にした直径の異なるシートの押圧球体を設け指圧ポイントに重なるよう配置した、一体成形のシートをカウルの内面に取り付けることを特徴とする請求項１の連立指圧マッサージ衣服用の球体。
【請求項４】
肩部のカウル左右前方下部に、反復運動による押圧補助装置の反復機構を持つ運動発生器の駆動軸にバネを介して肩部前外側と背面部の前方中央に軸受けフックに伸びたアウターケーブルにエジェクトの留め具を設け、取り付け延設した請求項１、２記載の連立ユニット指圧マッサージ衣服。
【請求項５】
肩部本体の左右の前方中心そして背面部本体の前方中央に押圧補助とツボ位置の検出に備え着脱自在のハンドルの取り付け部を形成し取り付ける請求項３、４記載の連立ユニット指圧マッサージ衣服。
【請求項６】
【改良例】
（１）漢方医学に基ずく、ツボ位置の押圧による押圧球体を補助、調節をする器具を指圧マッサージ衣服の後部の中心部に芯板を設けた指圧衣服。
（２）振動カウルの芯板を四つのユニット全てに、肩部、背面、両腕、膝部に取り付け、折畳みのスジ目を柔軟材の生地に入れ一体成形し、芯板の縮小はスライド線を設ける。
（３）四つのユニットの部位本体の芯板に、伸縮材の取り付け部を形成し芯板の外端に設け固着させ押圧を補助しやすく形成し前記部位本体に把手を取り付ける構造を採用する。
（４）肩部、背面部、両腕部、膝部のユニットに多数の振動発生器を設け全体でも個別でも使用できる様外付けの制御装置の機能と機構を設ける。
【発明の詳細な説明】
【技術分野】
【０００１】本発明は、振動発生器により押圧振動のする振動カウルに関し特にこり、疲労を解消、防止に好適な、単体のユニット使用から全身同時指圧マッサージのできる、家庭用の健康医療に関する。
【背景技術】
【０００２】  従来の技術の指圧マッサージ装置には、指圧用突子を設けた突出量を調整したからだ全体を適切な押圧力で指圧でき、効果的に指圧するリクライニングの椅子式マッサージ装置がある。（例えば特公平７−２５５８１５）【０００３】  以下、図７、により従来の指圧マッサージ装置について説明する。８は多数の突子を有する連設した椅子に指圧調整はからだの部位に応じて自在に調節できるようになっている背凭れ部３は連結軸７で傾度調節脚受け部４も適度の調節機構により座部２へ連結軸６で連接してあり  背凭れ部３は後端に頭受け部３ａを備え、足受け部４ａを備える。【０００４】
【特許文献１】特開平７−２６８７０５公報
【非特許文献】「松下電工  家電総合カタログ  ２００３」  松下電工株式会社
【改良例】
【０００５】  従来の技術の指圧マッサージ装置には、固定式の形態のがある、基盤から指圧突起具が上へ突出する構成の指圧具であり、体重をかける事により所望箇所に押圧させて指圧効果を得ることが出来るものがある。（特開平８−３８５７４）
【発明の開示】
【発明が解決しようとする課題】
【０００６】  以上に述べた従来の指圧マッサージ装置では、移動に不便な大型の指圧装置であり重量も装置全体ではかなり重い物、又からだ全体とは言え背凭れ部にはからだの前部を指圧を行なうには困難なものであった。【０００７】  本発明は、このような従来の構成が有してた問題を解決するものであり、使用者が繁雑な段階を経る事無く全身同時に又は必要な箇所のこりと疲労を解消、防止する指圧マッサージ衣服を実現することを目的とするものである。
【改良例】
【０００８】  以上に述べた、従来の固定式の指圧マッサージ装置では、からだ全体を施行するのは難しく特に前半分の指圧施術が困難な装置であった。
【課題を解決するための手段】
【０００９】  そして本発明は、上記目的を達成するために着脱自在の部材を肩部本体の後方に接続と開口を兼ねる様形成した芯軸を設け、内側に曲げて開口した既衣服の脇下の補助具を留め前部の開閉具を形成する、また背面部は前部の片方に開閉するように形成した蝶番を設け、体形にフィットするように形成し肩部、背面部、両腕部、膝部、腰部、足部、のカウルの必要とするぶぶんに必要な大きさの通気孔を多数設け、其々の部所の本体に一般の衣服同様に表面にはカラーリングを施した柔軟材を被うと良い。
【００１０】  また、第二の解決手段は小型で軽量にするため、振動カウルを６ユニット肩部ａ、背面部ｂ、腰部ｃ、膝部ｄ、両腕ｅ、足部ｆに区分する、そしてユニットの肩部ａと背面部ｂは押圧補助具と押圧検出器の取り付け部を形成し取り付ける、また両腕ｅ、膝部ｄ、には屈伸部を設け、腰部は、弾性体の布を備え足部ｆは、開閉ぶたを設け取り付ける、肩部と背面部の押圧検出器と押圧調整ハンドルは兼務装置であるが他４ユニットには前記と同様の押圧調整具の取り付け部とカウルの内面に補強材として芯板を設け取り付ける。
【００１１】さらに、第三の解決手段は漢方医学に基ずくツボ位置について肩部前方と背面前方に脱着しき押圧調整ハンドルを形成し振動カウルの内面にはサイズの異なる球体を設ける、差異のある球体を使う事により圧接に押圧球体の突出量の調節を補助球体により行なうことが出来る、補助球体前記両球体の一体型のシートをゴム材で成形し肩部の襟に緩衝パットを設けることで起動中に円滑に使用することが出来る。
【改良例】
【００１２】  そして解決手段として本発明は、上記目的達成するために柔軟材と芯板によって折畳みが容易に行なえ移動が簡単であるユニット指圧マッサージ衣服の操作がスイッチングと把手の修正のみのため指圧効果を充分に発揮できる。
【００１３】  上記第一の課題解決の手段による作用は次の通りである。脱着が容易な為対応が早くなる。押圧球体が押圧補助具により効果のある指圧ポイントへの圧接が得られ、こり、疲労の防止、解消することができる。自分の手を使う事無く他人の手も使うことのない多種多様の業態の使用者に求められているものである。
【００１４】  また、第二の解決手段による作用は、必要とする使用範囲が限られていても本発明の連立指圧マッサージ衣服は六ヶ所の部位から構成され各ユニットに独立機構を有しそれぞれ単体での使用ができる、例えば本発明の指圧マッサージ衣服にとらわれず車の運転にはｂ背面部等を、デスクワーク等にはｄ膝部に適し使用することが出来る、振動カウルは、合成樹脂の成形した振動体であるが厚さ１．３ｍｍ〜２．３ｍｍ位が良い。
【００１５】  そして、第三の解決手段による作用は、押圧調整検出器により指圧位置のズレと脱落の防止と補正が同時に行なうことが出来る、大小の大きさの差異のある球体を使用することで得られる圧接作用を説明する、押圧球体（３０ｍｍ〜４２ｍｍ）の当接ポイントに起動中振動発生器によりツボ傍らの皮膚の振動波を防止するためカウルの必要箇所に補助球体（１３ｍｍ〜２５ｍｍ）を設けることで皮膚の波動を止めることが出来る。
【改良例】
【００１６】  上記改良例の作用は、柔軟材の生地（例としてＥＶＡ共重合による、芯板は例としてポリプロピレン）の一体成形にオリタタミのできる構造を採用し簡単に折畳めればそのものが衣服として使用でき、衣服として着用することができる。
【発明の効果】
【００１７】  上記したように本発明の連立指圧マッサージ衣服は、繁雑な段階を経ること無くこり、疲労を解消、防止することができる。また補助具、調整具により全身同時マッサージも容易に施術が行なえる連立指圧マッサージ装置として又健康医療また美容の分野でも提供でき、今までに無い新しいかたちの指圧装置として効果を発揮できる。
【００１８】  また多数配設した振動発生器より起動中押圧が連続で作用するが、振動発生器が停止しても連立指圧マッサージ衣服は、自己の体重を利用して負荷をかけたりする事により押圧が得られるのでこり、疲労の解消、防止に効果がある、また、連立指圧マッサージ衣服の起動中は、常にツボと傍らに全ての区分した部所、肩部ａ、背面部ｂ、腰部ｃ、両腕部ｅ、膝部ｄ、足部ｆに押圧刺激がえられるので運動神経が活性化され一層高い健康増進効果が得ることができる。
【改良例】
【００１９】  移動に便利な小型で携帯できる指圧衣服は、密着感がしないほど自然に近い圧接が球体によって使用者の下着を介して伝わるので指圧効果が発揮できる。
【産業上の利用の可能性】
【００２０】  本発明の活用例として、主に健康医療産業の分野で有望であるが同時に美容とフイットネス業界での活用が求められている、最も活用が有効と思われるのは、長時間活動しないからだの訓練装置としての使用法である、例とへば長時間の車の運転と長時間の同じ姿勢でのデスクワーク、海外旅行での飛行機内の長時間の同じ姿勢それらは、体内の血流の停滞による悪化を起こす原因である、血流症候群を起こす不安がほあった、そこで本発明の肩部、背面部、両腕部、腰部、膝部、足部と改良例の肩部、背面、膝部、両腕部の４ユニット等部位が揃っており適材適所に使用でき移動にも容易な部位もある。
【発明を実施するための最良の形態】
【００２１】  以下、本発明の実施の形態を図１〜図９に基ずいて説明する【００２２】  図１においては、ａの１１左右一対の押圧検出器で、把手のハンドルがせり出てる、反復運動機の押圧補助具２、振動発生器１、アウターケーブル５、はエジェクト６、に軸受けする。ｃの肩部側面図は、アウターケーブルがエジェクトに架けた状態を示してる、ｂは肩部本体を後方より見る、襟パット１０上方へ開口している芯軸７開閉機９アウターケーブルが張りついている反復運動機能を有するラック＆スパー機構により押圧に効果発揮する振動発生器は肩部合計で８台位が良い。【００２３】    図２の背面部の右前部１８、の開口扉の開いている状態を示してる。背面部前方から見て水平に並ぶ二つの押圧補助具２５、突接した押圧検出ハンドル２１、振動発生器１、背面部押圧補助カバー１３、振動発生器１
【改良例】
【００２４】図３は改良例の肩部ｃと肩部の芯板ｅ伸縮材１６、そして改良例の背面部ｄ実施例の斜視図で、押圧補助に伸縮材を使用改良例は膝部、両腕部の四つのユニットで構成され多数の振動発生器を埋設している。
【００２５】図４においては、ａは一実施例の斜視図折り曲げた状態を示す、振動発生器１、ｃは両腕部の実施例を示す、指圧衣服全て同様の弾性体の素材に下地材と外生地、内張り等を設ける、図５に示すように多数の振動発生器が埋設された腰部がｄ、ｅ黒く見える部分は布材を示してる、振動カウルの両腕、膝部の着用方法を説明する。上端にある突起状のハンドルを持ちカウルに足先を入れ縁側を両手で外側に広げ着用し使用する、しまう時も同順である。
【００２６】図６に示した立体図は、３シート状の押圧球体である、左右対の肩部の芯軸８は適当な箇所で良いが後記する理由により肩部後方下段に設ける、すなわち開口部を大きく開けるためである。
【００２７】  図６は、足部の甲上にあるフタを開いて着用し足部本体に取り付けたスイッチングの器具のある足部の内側を合わせることで起動し使用できる。
【００２８】  図面に描いた連立ユニット指圧マッサージ衣服は、あくまで仕上げ前の状態であり、便宜上解りやすく出来るよう描いた。
【図面の簡単な説明】
【００２９】
【図１】指圧マッサージ衣服肩部の実施例を示す斜視図と球体の部分断面図である。
【図２】指圧マッサージ衣服背面部の実施例を示す斜視図と側面図である。
【図３】改良例の指圧衣服の実施例を示す斜視図である。
【図４】指圧マッサージ衣服両腕部と膝部の実施例を示す斜視図である。
【図５】指圧マッサージ衣服腰部の実施例を示す斜視図である。
【図６】指圧マッサージ衣服肩部の立体図と実施例を示す斜視図である。
【図７】指圧マッサージ衣服の実施例と自動制御装置を示す斜視図である。
【図８】従来の指圧装置の実施例を示す側面図である。
【図９】漢方医学によるツボ位置を示すツボ地図である。
【符号の説明】
【００３０】１：振動発生器
２：ラック、スパー反復運動機
３：シート球体、押圧球体、補助球体
４：カウル体
５：アウターケーブル
６：エジェクト
７：芯軸
８：芯板
９：開閉機
１０：襟パット
１１：押圧検出ハンドル
１２：押圧補助具
１３：背面部押圧補助具カバー
１４：肩パット
１５：蝶番
１６：押圧伸縮材
１７：足部フタ
１８：背面部開口扉
１９：ａ肩部、ｂ背面部、ｃ腰部、ｄ膝部、ｅ両腕部、ｆ足部、
【図１】
2005058695.tif 000003
【図２】
2005058695.tif 000004
【図３】
2005058695.tif 000005
【図４】
2005058695.tif 000006
【図５】
2005058695.tif 000007
【図６】
2005058695.tif 000008
【図７】
2005058695.tif 000009
【図８】
2005058695.tif 000010
【図９】
2005058695.tif 000011
【手続補正書】
【提出日】平成16年4月21日(2004.4.21)
【手続補正１】
【補正対象書類名】特許請求の範囲
【補正対象項目名】全文
【補正方法】変更
【補正の内容】
【特許請求の範囲】
【請求項１】
振動モータとシートを配設するカウル板を備えた指圧機本体と、前記本体であるカウル板の内面に東洋医学に基ずく経絡の道筋にツボで知られる経穴の在る位置に、多数の球体を固着成形したシート体をカウル板に内設した装置である、疲労した使用者の体表に突起状の球体で押圧をすることにより脂肪の含む皮膚の新陳代謝が増加し血液循環が促進でき、健康に良いカウル板と球体付きシートを設けた着用型健康器具。
【請求項２】
外部給電にした多数の振動モータを随所に多数埋設し、背面部と肩部に東洋医学に基ずく、経絡にあるツボを滑らかにする押圧調節手段として検知手段と押圧手段を兼た押圧位置の変更と所望のツボの検知を簡単に検索することが出来る着脱自在の把手が付いた前記背面部と肩部の前方襟元のカウル板に設け頭部、両腕部、両脚部、両足部の部位は、補助調整器を備えた請求項１記載の着用型指圧健康器具。
【請求項３】
複数の形状のある球体は、使用者の体表に圧接に適した人の（ゆび）に近い弾力のあるゴム材が良いが例えば化学的に証明された磁石とトルマリンも健康に適した素材である、前記複数の内訳は、ゆび状球体と補助球体そして本体の支持点を支える支持球体である一体成形のシート体をカウルの内面に取り付け健康に良い球体による押圧手段が特徴の請求項１の着用型指圧健康器具。
【請求項４】
複数に区分した個別の部位に、操作手段として外部から入力する遠隔制御装置を備え押圧補助装置の反復機構を設け反復モータの駆動軸に、バネを介し肩部脇下外側と背面部の前方中央に横向きにした軸受けフックに伸びたアウターケーブルを備え、エジェクトの留め具を設け取り付け延設した請求項１、２記載の着用型指圧健康器具。
【請求項５】
（１）東洋医学に基ずく、ツボ位置の押圧にする押圧球体付きシートを支持する支持板を挿入脱着できるようにした、前記支持板を長方体に小分した板を差込む収容袋部の支持装置を設けたことを特徴とする実質的にスーツの様な衣服型指圧健康器具。
（２）四つのユニットの部位本体には、柔軟材の生地を肩部、背面部、両腕部、両脚部のユニットに多数の振動モータを設け全体でも個別でも使用できるよう外部からの入力をできる健康に良い球体による押圧手段が特徴の（１）記載の衣服型指圧健康器具。
（３）振動モータと球体付きシートを配設する合成繊維製の表生地を備えた簡易指圧衣服装置と、前記簡易指圧衣服装置の本体内面に多数の球体を設け前記合成繊維の表裏に筋目となる折り目を形成した（１）記載の衣服型指圧健康器具。
（４）球体付きの指圧器は無動力の簡易指圧器は、板状の片面に敷設した１３ａ、の図に示した、１４ａは、転がし型の簡易指圧器棒状の器具に球体を取り付けた、１５ａは、球体付き弓型の指圧器にした、以上の携帯型の指圧器は背中、肩、腰、手足を必要に応じた器具で揺動することにより疲れをとることができる。
【手続補正２】
【補正対象書類名】明細書
【補正対象項目名】全文
【補正方法】変更
【補正の内容】
【発明の詳細な説明】
【技術分野】
【０００１】本発明は、振動モータにより押圧振動のするカウル板に  関し特にこり、疲労を解消、防止のためのの回復施術と運動神経の活性化するための使わない筋肉のトレーニング、全身でのシステム使用から単体の部分のみの指圧、もみ、たたき、のマッサージができる、業務用整体と家庭健康医療に関する。
【背景技術】
【０００２】  東洋医学では、人間のからだは六臓六腑からなり、それをめぐるエネルギーの調和によって健康が保たれていると考えられて、このエネルギーが流れているのが経絡であり、ツボの並ぶ道すじである、したがって前記経絡は六臓六ぷそれぞれに対応しその機能に関係している、図１０に示した経絡と臓腑の関係を説明する。
１．肺経、正確には手の大陰肺経、肺の臓の機能に関係する。
２．大腸経、正確には手の陽明大腸経、大腸の腑の機能に関係する。
３．胃経、正確には足の陽明胃経、胃の腑の機能に関係する。
４．ひ経、正確には足大陰ひ経、ひの臓の機能に関係する。
５．心経、正確には手の少陰心経、心の臓腑の機能に関係する。
６．小腸経、正確には手の太陽少腸経、少腸の腑の機能に関係する。
７．膀胱経、正確には足の太陽膀胱経、膀胱の腑の機能に関係する。
８．腎経、正確には足の少陰腎経、腎の臓の機能に関係する。
９．心包経、正確には手の蕨陰心包経、心包の臓の機能に関係する。
１０．三焦経、正確には手の小陽三焦経、三焦の腑の機能に関係する。
１１．胆経、正確には足の少陽胆経、胆の腑の機能に関係する。
１２．肝経、正確には足の蕨陰肝経、蕨  の臓の機能に関係する。
１３．任脈；督脈、前記１２の経絡の機能の相互関係を調節する経絡。【０００３】  従来の技術の指圧健康器具装置には、指圧用突子を設けた突出量を調整したからだ全体を適切な押圧力で指圧でき、効果的に指圧するリクライニングの椅子型指圧健康器具装置がある。（例えば特公平７−２５５８１５）【０００４】  以下、図７、により従来の指圧健康器具装置について説明する、８は多数の突子を有する連設した椅子に指圧調整はからだの部位に応じて自在に調節できるようになっている背凭れ部３は連結軸７で傾度調節脚受け部４も適度の調節機構により座部２へ連結軸６で連接してあり  背凭れ部３は後端に頭受け部３ａを備え、足受け部４ａを備える。【０００５】
【特許文献１】    特開平７−２６８７０５公報
【非特許文献】    「松下電工  家電総合カタログ  ２００３」  松下電工株式会社
【０００６】従来の技術の指圧健康器具装置には、固定式の形態がある、基盤から指圧突起具が上へ突出する構成の指圧具であり、体重をかける事により所望箇所に押圧させて指圧効果を得ることが出来るものがある。（特開平７−２５５８１５）
【発明の開示】
【発明が解決しようとする課題】
【０００７】  以上に述べた従来の指圧健康器具装置では、移動に不便な大型の指圧装置であり重量も装置全体ではかなり重い物であった又からだ全体とは言え前記した従来の指圧装置にはからだの周囲全体を指圧を行なうには形状と大きさの要因により困難な物であった。【０００８】  本発明は、このような従来の構成が有してた問題を解決するものであり、使用者が繁雑な段階を経る事無く全身同時に又は必要な箇所のこりと疲労を解消、防止する指圧マッサージを実現することを目的とするものである。
（改良例）【０００９】  以上に述べた、従来の固定式の指圧健康器具装置では、からだ全体を施術するのは難しく特に身体の前半分である腹部は指圧施術が困難な装置であった。
【課題を解決するための手段】
【００１０】  そして、本発明は上記目的を達成するために、振動モータとシートを配設するカウル板を備えた指圧機本体と、前記本体であるカウル板の内面に東洋医学に基ずく経絡の道筋にツボで知られる経穴の在る位置に、多数の球体を固着成形したシート体をカウル板に内設した装置である、疲労した使用者の体表に突起状の球体で押圧することにより脂肪を含む皮膚の新陳代謝が増加し血液循環が促進でき、健康に良いカウル板と球体付きシートを設けたものである。【００１１】また、第二の解決手段は小型で軽量にするため、カウル板を７分割にしさらにＣ両脚部Ｄ両腕部を先端部と肘と膝に分けることで機能性がたかまり屈曲部が使用者の動作を自在にできるようにしたそれにより左右の回転でき施術は使用者が簡単に操作できる肩部Ａと背面部Ｂは押圧補助装置と押圧検出器の取り付け部を設け取り付ける、腰部は、弾性体の布を股下と前後の繋ぎを設ける、肩部と背面部の押圧検出器と押圧調節ハンドルは兼務器である、からだの表面のツボの検知方法の例を説明すると体表を押し、快痛の感じる部分を探すことで解る他５ユニットには、補助検出器の取り付け使用者のからだの周囲全体に球体を内設けた圧接部を配置する構成としたものである。【００１２】圧接部に複数の球体を使う事により圧接に指状球体の突出量の調節を補助球体により行なうことができる、指状球体と補助球体を一体形のシートは、ゴム材で成形するとよい、肩部に緩衝パットを襟元に設けることで、指圧健康器具の施術を円滑かつ安全にするためものである。
（改良例）【００１３】そして解決手段として本発明は、上記目的達成するために東洋医学に基ずく、ツボ位置の押圧による押圧球体付きシートを支持する支持板を挿入着脱できるようにした、前記支持板を長方体に小分した板を差込む複数の収容袋を設けたものである。【００１４】上記第一の課題解決の手段による作用は次の通りである、着脱が容易な為対応が早くなる、ゆび状球体の圧接と押圧補助具により効果のある施術展開により指圧ポイントへの圧接が得られ、こり、疲労の防止、解消することができる、自分の手を使う事無く他人の手も使うことのない多種多様の業態の使用者に求められているものである。【００１５】また、第二の解決手段による作用は、必要とする使用範囲が狭くても本発明の着用型指圧健康器具装置は、単体でも使用ができ最小限の広さで使えるように７ヶ所に区分された部位から構成され独立した機構を持つ電動指圧健康器具の機能を有する、例えば本発明の着用型指圧健康器具にとらわれず車の運転にはｂ背面部等を、デスクワーク等にはｄ両脚部が適している、各部位本体の振動カウルは合成樹脂の成形した振動体であるが厚さは条件により変わるが１．３ｍｍ〜２．３ｍｍ位が良い、背面部と頭部等必要な部位に指圧機能低下を防ぐ為通気の空気孔を設ける、位置と大きさは適当で良いが指圧効果と強度が損なわれない程度にする。
（改良例）【００１６】上記改良例の作用は、柔軟材の生地（例としてＥＶＡ樹脂が適している）に依って折りタタミの手段に形押しの早い段階で入れる構造を採用するため折タタミが容易にでき指圧機そのものが携帯での衣服として持運びが簡単にできる球体付きシートを支持する支持板を挿入着脱できるようにした、前記支持板を長方体に小分した板を差込むだけの収容袋部を設けたため場所や移動が容易になり、今までの装置では考えがつかないものである。
【発明の効果】
【００１７】  上記したように本発明の着用型指圧健康器具は、繁雑な段階を経ること無くこり、疲労を解消、防止することができ健康に良い、また補助具、調節具により全身同時マッサージも容易に施術が行なうことがてきる健康医療と美容の分野でも提供でき、今までに無い新しいかたちの指圧装置として効果を発揮できる。【００１８】また多数配設した振動モータにより起動中押圧が連続で作用するが振動モータが停止中でも着用型指圧健康器具は、自己の体重を利用する等して負荷をかけたりする事により押圧が得られるのでこり、疲労の解消、防止に効果がある、また着用型指圧健康器具の起動中は、常にツボ周辺の傍らに全ての区分した部位、頭部Ａ肩部Ｂ背面部Ｃ腰部Ｄ両腕部Ｅ両脚部Ｆ両足部Ｇに押圧刺激がえられるので運動神経が活性化され一層高い健康増進効果が発揮でき密着感がしないほど自然に近い圧接が得られるので球体が使用者の体表に内張りの生地を介して伝わり指圧効果が発揮できる。近年の精密モータの技術進展によって本発明が可能になった。
【産業上の利用の可能性】
【発明を実施するための最良の形態】
【００１９】本発明の活用例として、主に健康医療産業の分野で有望であるが同時に美容とフイットネス業界での活用が求められている、最も活用が有効と思われるのは、長時間活動しないからだの訓練装置としての使用法である、例とへば長時間の車の運転と長時間の同じ姿勢でのデスクワーク、飛行機内の長時間の同じ姿勢により、血行不良を起こし血流症候群を起こす不安があった、本発明の頭部、肩部、背面部、両腕部、腰部、両脚部両足部と改良例の肩部、背面、膝部、両腕部の４ユニット等部位が揃っており適材適所に使用でき携帯できる大きさである。【００２０】以下、本発明の実施の形態を図１〜図９に基ずいて説明する。【００２１】  図１においてａは、左右一対の着脱可能な取付け部を設けた９押圧検出器の先端部を示した  ２２の反復運動機構付きの押圧モータを表した棒状の２３アウターケーブルそしてアウターケーブルの２１はエジェクトに渡す軸受を取付けるｃは肩部側面図を示しｂは肩部本体の開口時の正面図の３６襟パットである上方へ３２度開口している状態を示した、２４芯軸を表した、アウターケーブルが張りついている反復運動機能を有する３４ラック＆スパー機構により押圧に効果発揮する振動モータは肩部合計で８基位が良い。【００２２】図２のに示した実施例のｅは、背面部の右前部１９、の開口扉の開いている状態を示してる。背面部前方から見て水平に並ぶ二つの押圧補助部のアウターケーブル２３、突設した押圧検出器９のＬ字型のハンドル部が見えるその１９は詳細図を示す、振動モータ１、背面部押圧補助カバー１３、図２のｆは真上から見た図である。
（改良例）【００２３】  図３のに示される改良例の実施例については、ａ肩部とｈ背面部の芯板４６である圧接体そして改良例のｈ背面部の実施例の斜視図である随所に多数の球体と４６芯板４８収納部が見える、本発明の改良例は、柔軟性と反発力の強い素材の樹脂材を芯板に使用すると良い表面はＥＶＡを使用すると折タミミに加工しやすい、両脚部ｎと両腕部ｋの着用方法はマジックテープ（登録商標）を備えた巻き付け型にした、またｍは肩部の折り畳み時の図を示した肩部と背面部の四つのユニットで構成され多数の振動モータを埋設している。【００２４】図４に示される実施例では、ｇの両脚部の斜視図は、折り曲げた状態を示した１振動モータで、ｙは両腕部の肘を曲げた状態を示した実施例である、指圧衣服全て同様の弾性体の素材に下地材と表生地、内張り等を設けた、図４のｋは両脚部の大腿部と先端部の雌雄連結嵌合部の詳細図である、図４のｓは両腕部の斜視図である、そして図５に示した振動効率の高い位置に多数の１振動モータが埋設された腰部がｐに示した黒く見える部分は３３は布材を示したｃの頭部の実施例を示したｇは、４７あご当ての付いた固定バンドである、ｔは減圧用の１空気孔を示した、両腕部と両脚部の着用方法を説明する縁側にある７補助調節器の掴みを両手で押し広げ挟み込む様に足先を入れ固定バンドを使い着用する、両腕部の着用方法は手をそのまま通し固定し着用する仕舞うときも同順である。【００２５】図５に示される実施例では、ｕの肩部球体付きシートを示すｗは肩部の球体付きシートを平面に広げた斜視図である、ｏは背面部の球体付きシートを示すｎは平面に広げた球体付きシートの斜視図を示す図である、左右の肩部を繋ぐ支持軸の位置２４芯軸は適当な箇所で良いが後記する理由により肩部後方下段に設ける、すなわち開口部を大きく拡口させ着脱を簡単にしたｒの図は両足部の甲上にあるフタを開いて着用し足部本体に取り付けたスイッチングの器具のある両足部の内側を合わせることで起動し使用できる。【００２６】図７のｚは球体付きシートの楕円型の形状のｚ１はゆび状球体付きシート、ｚ２ｚ３は補助球体と支持球体を示す、ｖの図は着用型指圧健康器具装置の実施例の斜視図と自動制御装置の模式図である、図６と図９は、東洋医学に基ずく経絡の道筋にある経穴（ツボ）の球体付きシートの球体位置図とカウル板の指圧機本体の透視図である図面に描いた着用式指圧マッサージ機と改良例の簡易指圧衣服機は、あくまで仕上げ前の状態であり、便宜上容易く容易に理解出来るよう描いた。
【図面の簡単な説明】
【００２７】
【図１】着用型指圧健康器具の肩部の実施例を示す斜視図である。
【図２】着用型指圧の背面部の実施例を示す斜視図と正面図である。
【図３】改良例である衣服型指圧健康器具の実施例を示す斜視図である。
【図４】着用型指圧健康器具の両腕部と両脚部の実施例を示す斜視図である。
【図５】着用型指圧健康器具の腰部とゆび状半球体付きシートの実施例を示す斜視図である。
【図６】東洋医学に基づく経絡の道筋とツボである経穴の位置を簡単に示した図である。
【図７】着用型指圧健康器具の実施例と自動制御装置を示す斜視図である。
【図８】従来の指圧装置の実施例を示す側面図である。
【図９】東洋医学によるツボの球体付きシートの球体位置図と着用型指圧機の透視図である。
【符号の説明】
【００２８】１  ：振動モータ
２  ：カウル板
３  ：球体付きシート（全ての球体を含む）
４  ：ゆび状球体（押圧球体）
５  ：補助球体
６  ：支持球体
７  ：補助調節器
８  ：Ａ頭部、Ｂ肩部、Ｃ背面、
：Ｄ腰部、Ｅ両脚部  Ｆ両腕部、Ｇ両足部
９  ：押圧検出器（押圧調節器）
１０：押圧補助装置
１１：空気孔
１２：連結器
１４：固定ベルト
１９：背面部開口扉
２１：エジェクト                        （改良例）
２２：押圧モータ                        ３２：ベルト
２３：アウターケーブル                  ３３：布帯
２４：芯軸                              ４６：圧接用芯板
３４：ラック、スパー反復運動機          ４７：顎当て
３５：背面部押圧補助具カバー            ４８：収納袋
３６：襟パット                          ４９：球体
４４：蝶番
【手続補正３】
【補正対象書類名】図面
【補正対象項目名】全図
【補正方法】変更
【補正の内容】
【図１】
2005058695.tif 000012
【図２】
2005058695.tif 000013
【図３】
2005058695.tif 000014
【図４】
2005058695.tif 000015
【図５】
2005058695.tif 000016
【図６】
2005058695.tif 000017
【図７】
2005058695.tif 000018
【図８】
2005058695.tif 000019
【図９】
2005058695.tif 000020